(57)【要約】【課題】インクジェットプリントエンジンを備え、画像上にベタ領域が存在した場合でも総合的に良好な印字を行うことを可能とする画像出力装置を提供することを目的とする。【解決手段】インクジェットによる印字機構を備え、画像印字を行う画像出力装置において、入力画像データの連続する高濃度領域を検出する検出手段を備え、前記検出手段による検出領域があらかじめ定める一定の面積を超えた場合に、印字濃度を下げるよう制御するようにした。【選択図】        図２
2006213014.tif 000002
【特許請求の範囲】
【請求項１】
インクジェットによる印字機構を備え、画像印字を行う画像出力装置において、
入力画像データの連続する高濃度領域を検出する検出手段を備え、
前記検出手段による検出領域があらかじめ定める一定の面積を超えた場合に、印字濃度を下げるよう制御することを特徴とする画像出力装置。
【請求項２】
前記検出手段は、当該検出領域の座標情報を抽出し、前記印字機構に対して前記座標情報を出力することを特徴とする請求項１記載の画像出力装置。
【請求項３】
前記印字機構は、前記座標情報によって示された領域内部の画像濃度を下げる制御を行うことを特徴とする請求項２記載の画像出力装置。
【請求項４】
入力値に対してのガンマ値を変更することにより画像濃度を下げるようにしたことを特徴とする請求項１記載の画像出力装置。
【請求項５】
前記ガンマ値を記憶する複数のガンマ値記憶手段を有し、
前記検出手段の検出結果に応じて前記ガンマ値記憶手段から読み出すガンマ値を切り替えるようにしたことを特徴とする請求項４記載の画像出力装置。
【請求項６】
少なくとも前記検出手段は、
高濃度とする画像濃度の値を設定する設定手段と、
高濃度と判定した画素の数をカウントするカウンタ手段と、
高濃度と判定した画素の計数を一定の条件でリセットするカウンタリセット手段とを有することを特徴とする請求項１記載の画像出力装置。
【請求項７】
前記検出手段は、前記カウンタ手段のカウント数が一定値を超えた部分を全て含む、矩形領域を示す座標値を抽出する抽出手段を有することを特徴とする請求項６記載の画像出力装置。
【請求項８】
前記カウンタをリセットする条件は、高濃度と判定した画素間の距離であることを特徴とする請求項６記載の画像出力装置。
【請求項９】
前記画素間の距離は可変であって、設定可能に構成したことを特徴とする請求項８記載の画像出力装置。
【請求項１０】
前記画素間の距離を、出力解像度に応じて変更するようにしたことを特徴とする請求項９記載の画像出力装置。
【請求項１１】
さらに画像中の文字領域と写真領域を分離する画像領域分離手段を有し、
前記画像領域分離手段によって文字画像領域であると判断された部分に関しては印字濃度変更を行わず、写真領域であると判断された部分に関してのみ印字濃度変更を行うようにしたことを特徴とする請求項１記載の画像出力装置。
【請求項１２】
インクジェットによる印字機構を備え、画像印字を行う画像出力装置において、
入力画像データの連続する高濃度領域を検出する検出手段を備え、
前記検出手段による検出領域があらかじめ定める一定の面積を超えた場合に、出力画像の乾燥時間を長くするように制御することを特徴とする画像出力装置。
【請求項１３】
乾燥時間中、その旨を示す表示を行うことを特徴とする請求項１２記載の画像出力装置。
【請求項１４】
インクジェットによる印字機構を備え、画像印字を行う画像出力装置において、
入力画像データの連続する高濃度領域を検出する検出手段と、
ユーザが画質優先か印字速度優先かを選択する選択手段を有し、
前記検出手段による検出領域があらかじめ定める一定の面積を超えた場合に、
前記選択手段の設定に応じて、出力時の乾燥時間を長くするか、印字濃度を下げるかを決定することを特徴とする画像出力装置。
【発明の詳細な説明】
【技術分野】
【０００１】
本発明は、インクジェットによる印字機構を備え、画像印字を行う画像出力装置に関する。
【背景技術】
【０００２】
従来、インクジェットを用いる記録装置において、複数色のインクによってカラー画像を形成するような場合、一定の量以上のインク滴を紙の上の同一箇所に書き込んだ場合、にじみや紙の延びによるしわの発生等の障害が生じる。そのため、インクジェットの印字の際には、一定量以上のインクが同一箇所に書き込まれないように、色再現を考慮しつつインクの総量を規制する処理が行われる（特許文献１参照）。
【特許文献１】特開２０００−１０８３２９号公報
【発明の開示】
【発明が解決しようとする課題】
【０００３】
一方、書き込む画像状態によっては、さらに問題が発生する場合がある。すなわち、画像領域が連続的に比較的高い濃度で記録されるような場合（いわゆるベタ領域）は、濃度の高い領域が散在する場合に比較して、紙のカールなどの現象が発生しやすくなる。
【０００４】
印刷する系がパーソナルコンピュータ装置等からのプリントを行うものである場合、パーソナルコンピュータ装置のプリンタドライバ部（プログラム）がベタ領域の有無を判定してその部分の総量規制を強くする様なことは容易に可能であるが、スキャナの入力を即出力しようとするコピーなどのアプリケーションの場合、読み取った画像にベタ領域が存在するか否かを判定しつつ、総量規制を行うことは困難である。
【０００５】
なぜなら、一旦ベタ領域が存在すると分かった上でその部分の総量規制を行うことは簡単であるが、通常これらの画像処理は、原稿を読み取りながら同時に行われるものであり、１回の読み取りだけでこれら一連の処理を行うという点で困難であると言えるのである。
【０００６】
本発明は、かかる実情に鑑みてなされたものであり、画像上にベタ領域が存在した場合でも総合的に良好な印字を行うことを可能とする画像出力装置を提供することを目的とする。
【課題を解決するための手段】
【０００７】
本発明は、インクジェットによる印字機構を備え、画像印字を行う画像出力装置において、入力画像データの連続する高濃度領域を検出する検出手段を備え、前記検出手段による検出領域があらかじめ定める一定の面積を超えた場合に、印字濃度を下げるよう制御するようにしたものである。
【０００８】
また、前記検出手段は、当該検出領域の座標情報を抽出し、前記印字機構に対して前記座標情報を出力するようにしたものである。また、前記印字機構は、前記座標情報によって示された領域内部の画像濃度を下げる制御を行うようにしたものである。
【０００９】
また、入力値に対してのガンマ値を変更することにより画像濃度を下げるようにしたものである。また、前記ガンマ値を記憶する複数のガンマ値記憶手段を有し、前記検出手段の検出結果に応じて前記ガンマ値記憶手段から読み出すガンマ値を切り替えるようにしたものである。
【００１０】
また、少なくとも前記検出手段は、高濃度とする画像濃度の値を設定する設定手段と、高濃度と判定した画素の数をカウントするカウンタ手段と、高濃度と判定した画素の計数を一定の条件でリセットするカウンタリセット手段とを有するものである。また、前記検出手段は、前記カウンタ手段のカウント数が一定値を超えた部分を全て含む、矩形領域を示す座標値を抽出する抽出手段を有するものである。また、前記カウンタをリセットする条件は、高濃度と判定した画素間の距離である。また、前記画素間の距離は可変であって、設定可能に構成する。また、前記画素間の距離を、出力解像度に応じて変更するようにしたものである。
【００１１】
また、さらに画像中の文字領域と写真領域を分離する画像領域分離手段を有し、前記画像領域分離手段によって文字画像領域であると判断された部分に関しては印字濃度変更を行わず、写真領域であると判断された部分に関してのみ印字濃度変更を行うようにしたものである。
【００１２】
また、インクジェットによる印字機構を備え、画像印字を行う画像出力装置において、入力画像データの連続する高濃度領域を検出する検出手段を備え、前記検出手段による検出領域があらかじめ定める一定の面積を超えた場合に、出力画像の乾燥時間を長くするように制御するものである。また、乾燥時間中、その旨を示す表示を行うようにしたものである。
【００１３】
また、インクジェットによる印字機構を備え、画像印字を行う画像出力装置において、入力画像データの連続する高濃度領域を検出する検出手段と、ーザが画質優先か印字速度優先かを選択する選択手段を有し、前記検出手段による検出領域があらかじめ定める一定の面積を超えた場合に、前記選択手段の設定に応じて、出力時の乾燥時間を長くするか、印字濃度を下げるかを決定するようにしたものである。
【発明の効果】
【００１４】
したがって、本発明によれば、高濃度領域が一定の面積を超えた場合に、画像の印字濃度を落とすようにしているので、インク量を適切に制御出来るようになるため、印刷した用紙のカール発生といった不具合を低減することが可能となるという効果を得る。
【発明を実施するための最良の形態】
【００１５】
以下、添付図面を参照しながら、本発明の実施の形態を詳細に説明する。
【００１６】
図１は、本発明が適用される画像出力装置の構成例を示している。
【００１７】
同図において、画像入力手段１０１は、例えば、スキャナ装置であり、ＣＣＤ等の撮像素子を用いて画像データを取り込み、さらにＡ／Ｄ変換を行いデジタルデータを出力する。なお、説明ではスキャナとするが、これが単なるインタフェースであってもよい。この部分の前段に図示していないパーソナルコンピュータ装置等が接続されていれば、そこからの画像データを入力する入力手段などとしてもよく、スキャナ装置に限るわけではない。
【００１８】
画像入力手段１０１から入力されたデジタルデータは、画像処理手段１０２によって印字手段１０５の特性に合わせた画像処理が施される。処理が施されたあとのデータはメモリ手段１０３に一時的に蓄積される。画像処理手段にはデータ圧縮機能を入れてもよい。その場合は圧縮後のデータをメモリ手段１０３に蓄積することになる。
【００１９】
一旦、メモリ手段１０３に蓄積された画像データは、必要に応じて印字が行われる。メモリに中に記憶されているデータは多値データであり、後段の階調処理手段１０４にて２値〜多値（４値程度の場合が多い）の階調に変換される。この場合、ディザ処理や誤差拡散処理により階調処理される場合が多い。
【００２０】
階調処理後のデータはインクジェットによる印字手段１０５にて印字され出力される。
【００２１】
図２は、本発明の第１実施例にかかる画像出力装置の構成例を示している。なお、同図において、図１と同一部分および対応する部分には、同一名称を付しており、以下の説明では、本実施例に固有な部分を中心に説明している。
【００２２】
同図に置いて、画像入力手段２０１により入力された画像データは画像処理手段２０２に入力され、ここで印字手段２０７の特性に合わせた画像処理を施すと同時に、画像処理手段２０２の内部モジュールである高濃度領域検出手段２０３にて画像中に連続した高濃度領域、いわゆるベタ画像が存在するかを検出するようにしている。
【００２３】
ここで、処理された画像データと上記高濃度領域検出手段２０３による検出結果データはいずれもメモリ手段２０４に一時的に蓄積される。
【００２４】
後段の濃度調整手段２０５は、前記メモリ手段２０４に記憶されている前記検出結果データに基づき入力される画像データの濃度を低減する処理を行う。
【００２５】
その後、濃度調整された画像が階調処理手段２０６によって前述のような階調処理が施され、インクジェットによる印字手段２０７によって印字出力される。
【００２６】
例えば、図３のような画像データの場合、上方には写真のような高濃度が連続する領域が存在し、図の下方には文字のような低濃度領域が存在する。高濃度が連続する部分がある程度の大きさで連続している場合、用紙がインクを吸収した時点で、繊維の方向に応じて延びが発生し、結果として紙のカールが発生する（特に紙の繊維方向が揃っている上質紙の場合に発生しやすい）。この場合高濃度領域に相当する部分のインク量を若干少なくすることによりカール量を少なくすることが出来る。カール発生だけでなくしわの発生などもあるため、これらの防止にもなる。
【００２７】
ただし、図４（ａ），（ｂ）に示すように、同じような面積の高濃度領域がある場合でも、同図（ａ）のように連続的にある程度の広い面積に亘って高濃度領域が連続する場合と、同図（ｂ）のように高濃度領域が散在する場合とでは上記のような不具合の発生の度合いが異なる。すなわち同図（ｂ）のように連続的にある程度広い面積に亘って高濃度領域が存在する場合は、カールやしわの影響が大きくなるが、同図（ｂ）のように散在する場合は、それぞれの場所では用紙ののびやしわが発生する場合があるが、領域が不連続であることでカールなどの現象には結びつきにくいという特徴がある。
【００２８】
また、高濃度領域検出手段２０３が検出した検出結果データに、高濃度領域と検出した領域の座標データを含ませるようにすることで、後段の濃度調整手段２０５は、濃度調整を施す為の範囲を判断することができることとなり、より適切な処理を行うことができる。検出手段が、高濃度領域の存在する座標情報を抽出しているので、濃度調整の領域を適切に設定出来るようになる。
【００２９】
また、その場合に、検出結果としての座標データに基づいて、それらが示す領域の内部だけ（例えば図３の高濃度領域として示した部分だけ）濃度を下げるようにしたものである。
【００３０】
図５は、図２の濃度調整手段２０５の具体例を示している。
【００３１】
同図において、濃度調整手段５０１に入力されるデータは変換手段５０２において、入力値に対応する出力値を記載したガンマテーブル５０３に従った変換が行われ出力される。
【００３２】
ここで、ガンマテーブルの例を図６に示す。通常時のガンマに対して、濃度を下げる場合のガンマは、入力値に対する出力値が小さくなる変換となっている。
【００３３】
このようにして、この場合には、ガンマ値を変更することにより画像濃度を下げるようにしているため、比較的簡易な構成で濃度を落とす機能を実現可能である。
【００３４】
図７は、図２の濃度調整手段２０５の他の具体例を示している。
【００３５】
同図において、濃度調整手段７０１内に複数のガンマテーブルを記憶出来る記憶領域が存在する。すなわちガンマテーブル１（７０４）、ガンマテーブル２（７０５）、・・・ガンマテーブルＮ（７０６）である。
【００３６】
これらのガンマテーブルは、濃度調整の度合いに応じて、あるいは処理を行う色毎に（ＣＭＹＫの色毎に）選択され入力データに対して適用される。ガンマテーブルを複数記憶しているため、入力データに応じて、選択手段７０３によってどのガンマデータを選択するかをすぐに切り替えられるため、ガンマテーブルデータ書き換えの頻度が少なくなり、高速な制御が可能となる。
【００３７】
このようにして、この場合、ガンマ設定を複数種類記憶しておき、前記検出手段濃度領域検出手段２０３によってベタ画像であると判断された場合に記憶手段を切り替えることによって異なるガンマを適用するようにしているため、濃度を下げるような異なるガンマを適用したい場合に、多くのガンマ値（テーブル）を書き換えるという処理を行うことなく、直ちに異なるガンマ値を適用するような制御が可能となる。
【００３８】
図８は、高濃度領域検出手段２０３の動作処理の一例を示している。
【００３９】
この場合、カウンタＣが入力された画素の濃度に応じてカウントアップする動作を行うが、一定のリセット条件の場合にカウンタのリセットが行われる動作となる。リセットの条件は例えば「白画素が５０画素続いた場合」とか、「白ラインが２０ライン続いた場合」などで設定すればよいが、必要とされる検出の感度に応じて設定するのが望ましい。
【００４０】
図８の処理では、まず、カウンタＣの値を０に設定し（処理Ｓ１０１）、画素を入力し（処理Ｓ１０２）、そのときに上述したようなリセット条件が成立しているかどうかを調べる（判断Ｓ１０３）。判断Ｓ１０３の結果がＹＥＳになるときには、処理Ｓ１０１へ戻り、カウンタＣをリセットする。
【００４１】
判断Ｓ１０３の結果がＮＯになるときには、濃度が一定値を超えた画素であるかどうかを調べ（判断Ｓ１０４）、判断Ｓ１０４の結果がＹＥＳになるときには、カウンタＣの値を１つ増やす（処理Ｓ１０５）。また、判断Ｓ１０４の結果がＮＯになるときには、処理Ｓ１０５を実行しない。
【００４２】
次いで、画素の入力が終了したかどうかを調べ（判断Ｓ１０６）、判断Ｓ１０６の結果がＮＯになるときには、処理Ｓ１０２へ戻り、次の画素についての処理を行う。また、判断Ｓ１０６の結果がＹＥＳになるときには、動作を終了する。
【００４３】
ここで、前記カウンタＣのカウント値が一定値を超えた場合、その領域を全て囲むように矩形で領域を抽出すると、より効率の良い処理が可能となる。
【００４４】
すなわち、例えば、図９に示すように、図中黒で塗りつぶされている図形が高濃度領域であり、周辺は高濃度でない部分が存在する画像データについて考える。
【００４５】
この場合、図示するように、左上の座標が（Ｘｓ，Ｙｓ）（（ｓはｓｔａｒｔのｓ））、右下の座標が（Ｘｅ，Ｙｅ）（（ｅはｅｎｄのｅ））で規定される矩形領域で囲むように（Ｘｓ，Ｙｓ），（Ｘｅ，Ｙｅ）を決定する。このようにすることで、後段の濃度調整手段２０５に渡すデータは比較的少ないもので済む。
【００４６】
したがって、この場合、ベタ領域であると判定した部分を矩形で示すようにしているため、比較的少ない情報量で該当する領域を指定することが可能となる。
【００４７】
図１０は、高濃度領域検出手段２０３の動作処理の他の例を示している。
【００４８】
この場合、高濃度領域検出手段２０３は、高濃度領域の判定の際に、高濃度であると判定された画素の間隔が一定距離以上ある場合には、カウンタをリセットするようにしている。
【００４９】
図１０の処理では、まず、カウンタＣの値を０に設定し（処理Ｓ２０１）、画素を入力し（処理Ｓ２０２）、前の検出した画素から一定距離離れているかどうかを調べる（判断Ｓ２０３）。判断Ｓ２０３の結果がＹＥＳになるときには、処理Ｓ２０１へ戻り、カウンタＣをリセットする。
【００５０】
判断Ｓ２０３の結果がＮＯになるときには、濃度が一定値を超えた画素であるかどうかを調べ（判断Ｓ２０４）、判断Ｓ２０４の結果がＹＥＳになるときには、カウンタＣの値を１つ増やす（処理Ｓ２０５）。また、判断Ｓ２０４の結果がＮＯになるときには、処理Ｓ２０５を実行しない。
【００５１】
次いで、画素の入力が終了したかどうかを調べ（判断Ｓ２０６）、判断Ｓ２０６の結果がＮＯになるときには、処理Ｓ２０２へ戻り、次の画素についての処理を行う。また、判断Ｓ２０６の結果がＹＥＳになるときには、動作を終了する。
【００５２】
この場合には、図４における左右の図のように、高濃度領域が連続する場合と散在する場合を区別するための動作を行っている。
【００５３】
したがって、この場合には、高濃度画素間の距離でカウンタリセットするようにしているため、画素間が大きく離れていてカールなどの現象に結びつかない画像を適切に検出することができることとなる。
【００５４】
ところで、例えば、図１１に示すような画像を考えた場合、簡易的には図９に示したように抽出領域を矩形で規定してよいが、矩形領域内で一律に濃度を落とす処理を行う場合に。文字領域の一部も濃度が落ちてしまう場合がある。
【００５５】
そのため写真部分と文字部分を分離した後、写真部分のみ濃度を落とすようにした方が、画質の変化が少なくて済む。
【００５６】
図１２は、本発明の第２の実施例にかかる画像出力装置のブロック図を示す。なお、同図において、図１と同一部分および対応する部分には、同一名称を付しており、以下の説明では、本実施例に固有な部分を中心に説明している。
【００５７】
同図において、画像入力手段１２０１は、例えば、スキャナ装置であり、ＣＣＤ等の撮像素子を用いて画像データを取り込み、さらにＡ／Ｄ変換を行いデジタルデータを出力する。なお、説明ではスキャナとするが、これが単なるインタフェースであってもよい。この部分の前段に図示していないパーソナルコンピュータ装置等が接続されていれば、そこからの画像データを入力する入力手段などとしてもよく、スキャナ装置に限るわけではない。
【００５８】
画像入力手段１２０１から入力されたデジタルデータは、画像処理手段１２０２へ出力される。
【００５９】
画像処理手段１２０２には、文字部と写真部を分離する画像領域分離手段１２０３と高濃度領域検出手段１２０４があり、写真と判定する部分の抽出と入力画像の高濃度領域部の抽出とが行われそれらの結果（分離結果データ、検出結果データ）が画像データと共にメモリ手段１２０５に一時的に記憶される。
【００６０】
濃度調整手段１２０７は前記画像データに対して、分離結果データと検出結果データに基づいて写真部かつ高濃度領域部と判定された部分に関して濃度を落とす処理を施すようにする。
【００６１】
このようにして、本実施例では、文字部と写真部とに分離し、写真部にのみ高濃度領域検出を行うようにすることで、文字部の濃度が落ちることによる画質劣化を防ぐことができる。
【００６２】
ところで、上述したように高濃度領域が含まれていることが検出されたとき、例えば、用紙に吹き付けられたインクの量が多いため、用紙に塗布されたインクの乾燥時間を長く設定することで、カールやしわの影響による搬送性の低下をなくすることができる。
【００６３】
この場合に、１ページの出力を開始する際に実行する処理の一例を図１３に示す。
【００６４】
まず、画像出力が終了するまで待つ（処理Ｓ３０１，判断Ｓ３０２のＮＯループ）。１ページ分の画像出力が終了して、判断Ｓ３０２の結果がＹＥＳになるときには、高濃度領域検出がされているかどうかを調べる（判断Ｓ３０３）。
【００６５】
判断Ｓ３０３の結果がＹＥＳになるときには、乾燥時間を長く設定し（処理Ｓ３０４）、また、判断Ｓ３０３の結果がＮＯになるときには、乾燥時間を標準的な長さに設定する（処理Ｓ３０５）。
【００６６】
また、上述したように、乾燥時間を長くすると判定した場合に、ユーザが故障などと誤認しないように、ユーザに乾燥中である旨を通知するようにしたものである。そこで、例えば、図１４に示すように、液晶ディスプレー等の表示装置にその旨を表示して、ユーザにその旨を通知するようにすると良い。また、表示方法はこれに限らず、ＬＥＤ等を用いて注意を喚起する方法や、パーソナルコンピュータ装置から印刷時であればパーソナルコンピュータ装置上のドライバを介して表示するような方法でもよい。
【００６７】
図１５，１６は、１ページの出力を開始する際に実行する処理の他の例を示している。この場合、ユーザの画質優先か速度優先かの設定に応じて、乾燥時間を長くするか、画像  の濃度を下げて出力時間は変えないようにするかを選択出来るようにしている。
【００６８】
乾燥時間を長くした場合は画像の濃度が下がらないため画質に影響がなる一方、出力時間が長くなり、濃度を薄くした場合は画質に影響があるが、高速に出力可能となる。これらをユーザ設定に応じて選択出来るようにしているため、ユーザの使用形態に合わせた動作とすることが可能となる。
【００６９】
まず、そのときに速度優先モードが設定されているかどうかを調べる（判断Ｓ４０１）。
【００７０】
判断Ｓ４０１の結果がＹＥＳになるときには、高濃度領域検出があるかどうかを調べ（判断Ｓ４０２）、判断Ｓ４０２の結果がＹＥＳになるときには、濃度調整有り画像出力を行い（処理Ｓ４０３）、判断Ｓ４０２の結果がＮＯになるときには、濃度調調整なし画像出力を行う（処理Ｓ４０４）。
【００７１】
この処理を、画像出力が終了するまで繰り返し行う（判断Ｓ４０５のＮＯループ）。
【００７２】
一方、画質優先モードが設定されている場合で、判断Ｓ４０１の結果がＮＯになるときには、画像出力が終了するまで待つ（処理Ｓ４０６，判断Ｓ４０７のＮＯループ）。１ページ分の画像出力が終了して、判断Ｓ４０７の結果がＹＥＳになるときには、高濃度領域検出がされているかどうかを調べる（判断Ｓ４０８）。
【００７３】
判断Ｓ４０８の結果がＹＥＳになるときには、乾燥時間を長く設定し（処理Ｓ４０９）、また、判断Ｓ４０８の結果がＮＯになるときには、乾燥時間を標準的な長さに設定する（処理Ｓ４１０）。
【００７４】
このようにして、ユーザが画質優先としている場合、乾燥時間をかけることによって出力時間がかかっても濃度を下げないようにし、ユーザが速度優先としている場合、濃度を下げて出力時間が遅くならないようにしているため、ユーザの使用形態に合わせた出力を行うことが出来るようになり、ユーザの利便性が向上する。
【００７５】
なお、本願発明は、画像形成装置として、コピー機、ファクシミリ、プリンタ機器、複合機などへ応用することができる。
【図面の簡単な説明】
【００７６】
【図１】本発明が適用される画像出力装置の構成例を示したブロック図。
【図２】本発明の第１実施例にかかる画像出力装置の構成例を示したブロック図。
【図３】高濃度領域と低濃度領域が混在した画像の一例を示した概略図。
【図４】高濃度領域と低濃度領域が混在した画像の他の例を示した概略図。
【図５】濃度調整手段２０５の具体的な構成の一例を示したブロック図。
【図６】ガンマ値の一例を示した概略グラフ図。
【図７】濃度調整手段２０５の具体的な構成の他の例を示したブロック図。
【図８】高濃度領域検出手段２０３の動作処理の一例を示したフローチャート。
【図９】高濃度領域を矩形として抽出する場合の一例を説明するための概略図。
【図１０】高濃度領域検出手段２０３の動作処理の他の例を示したフローチャート。
【図１１】高濃度領域と低濃度領域が混在した画像の別な例を示した概略図。
【図１２】本発明の第２実施例にかかる画像出力装置の構成例を示したブロック図。
【図１３】１ページの出力を開始する際に実行する処理の一例を示したフローチャート。
【図１４】用紙乾燥中をユーザに提示するメッセージの一例を示した概略図。
【図１５】１ページの出力を開始する際に実行する処理の他の例を示したフローチャート（続く）。
【図１６】１ページの出力を開始する際に実行する処理の他の例を示したフローチャート（図１５の続き）。
【符号の説明】
【００７７】
１０２，２０２，１２０２  画像処理手段
２０３，１２０４  高濃度領域検出手段
２０５，１２０６  濃度調整手段
１２０３  画像領域分離手段
【図１】
2006213014.tif 000003
【図２】
2006213014.tif 000004
【図３】
2006213014.tif 000005
【図４】
2006213014.tif 000006
【図５】
2006213014.tif 000007
【図６】
2006213014.tif 000008
【図７】
2006213014.tif 000009
【図８】
2006213014.tif 000010
【図９】
2006213014.tif 000011
【図１０】
2006213014.tif 000012
【図１１】
2006213014.tif 000013
【図１２】
2006213014.tif 000014
【図１３】
2006213014.tif 000015
【図１４】
2006213014.tif 000016
【図１５】
2006213014.tif 000017
【図１６】
2006213014.tif 000018